(57)【要約】【課題】梁ピッチに応じて固定位置を変えることができ、また、固定位置が調整可能であり、梁ピッチの施工誤差を吸収することができ、昇降物干し装置を天井面に確実に設置する。【解決手段】天井面に設置される細長形状の本体３の天井取り付け面部１０には、本体の長手方向の両端部付近に固定の基準位置にある第１の固定穴部１１および第２の固定穴部１２が設けられ、本体の長手方向の中央部および中央部寄りの部分に固定位置の調整を可能とした本体の長手方向に延びる長穴形状の第３の固定穴部１３ａ、１３ｂ、１３ｃが設けられている。【選択図】図１
2008104697.tif 000002
【特許請求の範囲】
【請求項１】
操作コードによる昇降操作にともなって物干し竿に連結された昇降コードが巻き取られまたは送り出され、物干し竿が昇降する昇降物干し装置において、天井面に設置される細長形状の本体の天井取り付け面部には、本体の長手方向の両端部付近に固定の基準位置にある第１の固定穴部および第２の固定穴部が設けられ、本体の長手方向の中央部および中央部寄りの部分に固定位置の調整を可能とした本体の長手方向に延びる長穴形状の第３の固定穴部が設けられていることを特徴とする昇降物干し装置。
【請求項２】
第１の固定穴部、第２の固定穴部および第３の固定穴部は、天井裏の梁のピッチに対応して配置されていることを特徴とする請求項１に記載の昇降物干し装置。
【請求項３】
第１の固定穴部、第２の固定穴部および第３の固定穴部は、本体内部に形成された物干し竿の収納凹部に面していることを特徴とする請求項１または２に記載の昇降物干し装置。
【発明の詳細な説明】
【技術分野】
【０００１】
本発明は、室内で洗濯物を干すことができる昇降物干し装置に関する。
【背景技術】
【０００２】
雨の日にも洗濯物を干したい、道路に面している等の理由により屋外に洗濯物を干しにくいなどの要望、要請から、室内で洗濯物を干すことができるようにした昇降物干し装置が提供されている。
【０００３】
この昇降物干し装置は、たとえば図４に示したように、昇降コード１の一端に連結され、昇降自在に吊り下げられた物干し竿２を備えている。昇降コード１は、天井に設置される本体３に備えた昇降機構により巻き取られまたは送り出され、物干し竿２の昇降を可能にしている。昇降機構による昇降コード１の巻き取りおよび送り出しは、操作コード４により手動で操作される。操作コード４を引き下げ、昇降コード１を送り出すと、物干し竿２が下降し、昇降コード１を巻き取ると、物干し竿２が上昇する。物干し竿２は、端部２ａが伸縮自在とされ、洗濯物の量に応じて長さが可変とされており、非使用時には、端部２ａを縮め、本体３の内部に収納される。
【０００４】
このような昇降物干し装置の天井設置には埋め込み方式と直付け方式があり、特許文献１にはそのどちらの方式にも適用可能な一種類の断面略Ｌ字状の固定金具を用いた取り付け構造が開示されている。
【特許文献１】特許第３５２７７０９号公報
【発明の開示】
【発明が解決しようとする課題】
【０００５】
本体３が天井面に設置される直付け方式の場合、本体３が天井面にしっかりと固定されるように、固定位置は天井裏の梁位置としなければならないが、一般住宅における梁５のピッチは、図５に示した約３０３ｍｍと図６に示した約４５５ｍｍの二つに大別される。したがって、直付け方式の昇降物干し装置を実現するためには、図５および図６に示したどちらの梁５のピッチにも対応して固定位置を変えられるような配慮が必要とされる。また、梁５の位置には施工誤差が存在するため、固定位置を調整可能とし、施工誤差を吸収して昇降物干し装置を確実に天井面に設置するような配慮も必要とされる。
【０００６】
なお、図５および図６図中の符号６は天井面を形成する天井材を示している。
【０００７】
本発明は、以上の通りの事情に鑑みてなされたものであり、梁ピッチに応じて固定位置を変えることができ、また、固定位置が調整可能であり、梁ピッチの施工誤差を吸収することができ、天井面に確実に設置可能な昇降物干し装置を提供することを課題としている。
【課題を解決するための手段】
【０００８】
本発明の昇降物干し装置は、上記の課題を解決するために、以下のことを特徴としている。
【０００９】
第１に、操作コードによる昇降操作にともなって物干し竿に連結された昇降コードが巻き取られまたは送り出され、物干し竿が昇降する昇降物干し装置において、天井面に設置される細長形状の本体の天井取り付け面部には、本体の長手方向の両端部付近に固定の基準位置にある第１の固定穴部および第２の固定穴部が設けられ、本体の長手方向の中央部および中央部寄りの部分に固定位置の調整を可能とした本体の長手方向に延びる長穴形状の第３の固定穴部が設けられている。
【００１０】
第２に、上記において、第１の固定穴部、第２の固定穴部および第３の固定穴部は、天井裏の梁のピッチに対応して配置されている。
【００１１】
第３に、上記において、第１の固定穴部、第２の固定穴部および第３の固定穴部は、本体内部に形成された物干し竿の収納凹部に面している。
【発明の効果】
【００１２】
上記第１の発明によれば、一般住宅における天井裏の梁のピッチに応じて固定位置を変えることができ、また、第３の固定穴部において固定位置の調整が可能であり、梁ピッチの施工誤差を吸収することができ、昇降物干し装置の直付け方式による天井設置が確実となる。第３の固定穴部における固定位置の調整は容易であり、手間取らない。
【００１３】
上記第２の発明によれば、上記の発明の効果に加え、第３の固定穴部の中から天井裏の梁のピッチに応じたものを的確に選択することができ、昇降物干し装置の直付け方式による天井設置がより確実となる。
【００１４】
上記第３の発明によれば、上記の発明の効果に加え、物干し竿の収納時には、第１の固定穴部、第２の固定穴部および第３の固定穴部のいずれも物干し竿によって隠れ、物干し竿収納時における昇降物干し装置の見栄えが良好となる。
【発明を実施するための最良の形態】
【００１５】
図１、図２は、それぞれ、本発明の昇降物干し装置の一実施形態を示した底面図、正面図である。図３は、図１および図２に示した昇降物干し装置の物干し竿収納時の状態を示した底面図である。
【００１６】
昇降物干し装置Ａでは、昇降コード１の一端に連結され、物干し竿２は吊り下げられ、昇降コード１の巻き取りまたは送り出しにより昇降が可能になっている。昇降コード１の巻き取りおよび送り出しを行う昇降機構は、天井面に設置される本体３の左右両端部３ａ、３ｂに内蔵されている。昇降機構は、ループ状の操作コード４の引き下げによって手動で操作され、操作コード４による昇降操作に昇降機構を連動させる駆動機構が、本体３の左側の端部３ａに内蔵されている。操作コード４を引き下げ、昇降機構により昇降コード１が送り出されると、物干し竿２が下降し、昇降コード１が昇降機構に巻き取られると、物干し竿２が上昇する。物干し竿２は、端部２ａが伸縮自在とされ、洗濯物の量に応じて長さが可変とされている。物干し竿２は、非使用時には、端部２ａを縮め、本体３の内部に収納される。すなわち、本体３の内部には、物干し竿２を収納する収納凹部７が形成されており、収納凹部７は、本体３の下端において下方に開口している。したがって、操作コード４を手動操作し、昇降コード１を昇降機構に巻き取ると、物干し竿２は本体３の下端開口８を通じて収納凹部７に収納される。このような物干し竿２の内部収納を可能とするように本体３は物干し竿２の長さ方向に延びる細長形状を有している。
【００１７】
また、昇降物干し装置Ａでは、本体３の上端面９を形成し、設置時に天井面に当接する天井取り付け面部１０に、収納凹部７に面して、本体３の左側の端部３ａの近くに第１の固定穴部１１が、右側の端部３ｂの近くに第２の固定穴部１２が設けられている。第１の固定穴部１１は、本体３の長手方向に５ｍｍの長さを有し、ほぼ円形状とされている。第２の固定穴部１２は、本体３の長手方向に２５ｍｍの長さを有し、やや長穴状とされている。第１の固定穴部１１と第２の固定穴部１２の間の最大間隔は、３０３ｍｍ×３＝９０９ｍｍとされている。この間隔は、図５に示した梁５の３０３ｍｍピッチの３つ分、図６に示した梁５の４５５ｍｍピッチの２つ分にほぼ相当している。つまり、第１の固定穴部１１および第２の固定穴部１２は、一般住宅における梁５の２つのピッチに対応しており、固定の基準位置にあり、天井に設置する際には、第１の固定穴部１１および第２の固定穴部１２における固定位置はほぼ梁５の位置となる。
【００１８】
また、天井取り付け面部１０には、収納凹部７に面して、本体３の長手方向の中央部に第３の固定穴部１３ａが設けられている。第３の固定穴部１３ａは、本体３の長手方向に延びる長穴形状とされ、中央から本体３の左右両側に２５ｍｍずつの長さを有している。また、第３の固定穴部１３ａの中央は、第１の固定穴部１１および第２の固定穴部１２からの最大間隔が４５４．５ｍｍとなる位置に配置されている。つまり、第３の固定穴部１３ａは、天井設置の際に、第１の固定穴部１１と第２の固定穴部１２とが対応する梁５の間の中央に位置する梁５に対応しており、図６に示した４５５ｍｍピッチに対応している。
【００１９】
さらに、天井取り付け面部１０には、中央部寄りの部分、すなわち、第３の固定穴部１３ａを挟んで本体３の長手方向の左右両側に別の第３の固定穴部１３ｂ、１３ｃが設けられている。これらの第３の固定穴部１３ｂ、１３ｃも、第３の固定穴部１３ａと同様に、本体３の長手方向に延びる長穴形状とされ、中央から本体３の左右両側に２５ｍｍずつの長さを有している。また、第３の固定穴部１３ｂの中央は、第１の固定穴部１１からの最大間隔が３０３ｍｍとなる位置に配置され、第３の固定穴部１３ｃの中央は、第２の固定穴部１２からの最大間隔が３０３ｍｍとなる位置に配置されている。したがって、第３の固定穴部１３ｂと第３の固定穴部１３ｃの中央間の間隔は３０３ｍｍとなっている。このため、第３の固定穴部１３ｂ、１３ｃは、天井設置の際に、第１の固定穴部１１と第２の固定穴部１２が対応する梁５の間の中間に位置する２本の梁５にそれぞれ対応しており、図５に示した３０３ｍｍピッチに対応している。
【００２０】
上記の通りの第３の固定穴部１３ａ、１３ｂ、１３ｃは、中央から本体３の長手方向に左右にそれぞれ２５ｍｍの長さを有する長穴形状とされているため、第１の固定穴部１１および第２の固定穴部１２において固定位置がほぼ決められているのに対して固定位置の調整が可能となっている。天井裏の梁５の位置は、３０３ｍｍピッチの場合にも、４５５ｍｍピッチの場合にも施工誤差が少なからずあるが、その施工誤差を吸収することができるように、第３の固定穴部１３ａ、１３ｂ、１３ｃでは固定位置の調整が可能となっている。
【００２１】
昇降物干し装置Ａを天井面に設置する際には、まず、梁５が図６に示した４５５ｍｍピッチの場合には第３の固定穴部１３ａを、図５に示した３０３ｍｍピッチの場合には第３の固定穴部１３ｂ、１３ｃを梁５の位置に対応させて配置し、ビスなどの固着具を第３の固定穴部１３ａまたは第３の固定穴部１３ｂ、１３ｃの任意の部分を通じて天井裏の梁５に打ち込み、本体３を仮固定する。この状態では、本体３は、第３の固定穴部１３ａ、１３ｂ、１３ｃの長さ分長手方向に移動可能である。そして、本体３の位置を少しずつ変え、第１の固定穴部１１および第２の固定穴部１２が、対応する天井裏の梁５の位置に来るように調整する。第１の固定穴部１１および第２の固定穴部１２は、上記の通り、３０３ｍｍピッチおよび４５５ｍｍピッチのいずれにも対応し、固定の基準位置にあるため、対応する梁５は必ず存在する。第１の固定穴部１１および第２の固定穴部１２が梁５のほぼ真下にあるのを確認した後に、固着具を第１の固定穴部１１および第２の固定穴部１２を通じて梁５に打ち込み、本体３を本固定する。このとき、第１の固定穴部１１および第２の固定穴部１２には、上記の通り、本体３の長手方向に若干の長さを有しているため、固定位置の微調整が可能である。最適な固定位置で本固定を行うことができる。そして、第１の固定穴部１１および第２の固定穴部１２において本固定を行った後に第３の固定穴部１３ａ、１３ｂ、１３ｃにおいて仮固定していた固着具を最後まで打ち込み、昇降物干し装置Ａの設置を完了する。
【００２２】
このように、昇降物干し装置Ａでは、本体３の天井取り付け面部１０には、本体３の長手方向の両端部３ａ、３ｂ付近に固定の基準位置にある第１の固定穴部１１および第２の固定穴部１２が設けられ、本体３の長手方向の中央部および中央部寄りの部分に固定位置の調整を可能とした本体３の長手方向に延びる長穴形状の第３の固定穴部１３ａ、１３ｂ、１３ｃが設けられているため、一般住宅における天井裏の梁５のピッチに応じて固定位置を変えることができ、また、第３の固定穴部１３ａ、１３ｂ、１３ｃにおいて固定位置の調整が可能であり、梁５のピッチの施工誤差を吸収することができ、昇降物干し装置Ａの直付け方式による天井設置が確実となっている。第３の固定穴部１３ａ、１３ｂ、１３ｃにおける固定位置の調整は容易であり、手間取らない。
【００２３】
また、第１の固定穴部１１、第２の固定穴部１２および第３の固定穴部１３ａ、１３ｂ、１３ｃは、それぞれ、一般住宅における天井裏の梁５のピッチ、すなわち、約３０３ｍｍおよび約４５５ｍｍに対応して配置されているため、第３の固定穴部１３ａ、１３ｂ、１３ｃの中から天井裏の梁５のピッチに応じたものを的確に選択することができ、昇降物干し装置Ａの直付け方式による天井設置がより確実となっている。
【００２４】
さらに、昇降物干し装置Ａでは、第１の固定穴部１１、第２の固定穴部１２および第３の固定穴部１３ａ、１３ｂ、１３ｃは、いずれも、本体３の内部に形成された物干し竿２の収納凹部７に面しているため、物干し竿２の収納時には、第１の固定穴部１１、第２の固定穴部１２および第３の固定穴部１３ａ、１３ｂ、１３ｃのいずれも物干し竿２によって隠れ、物干し竿２の収納時における昇降物干し装置Ａの見栄えが良好となっている。
【図面の簡単な説明】
【００２５】
【図１】本発明の昇降物干し装置の一実施形態を示した底面図である。
【図２】本発明の昇降物干し装置の一実施形態を示した正面図である。
【図３】図１および図２に示した昇降物干し装置の物干し竿収納時の状態を示した底面図である。
【図４】昇降物干し装置を例示した正面図である。
【図５】直付け方式による昇降物干し装置の設置形態を示した正面図である。
【図６】直付け方式による昇降物干し装置の設置形態を示した正面図である。
【符号の説明】
【００２６】
Ａ  昇降物干し装置
１  昇降コード
２  物干し竿
３  本体
３ａ、３ｂ  端部
４  操作コード
５  梁
７  収納凹部
１０  天井取り付け面部
１１  第１の固定穴部
１２  第２の固定穴部
１３ａ、１３ｂ、１３ｃ  第３の固定穴部
【図１】
2008104697.tif 000003
【図２】
2008104697.tif 000004
【図３】
2008104697.tif 000005
【図４】
2008104697.tif 000006
【図５】
2008104697.tif 000007
【図６】
2008104697.tif 000008